(57)【要約】【課題】色ごとに信号処理回路を設けた上で、各色の信号処理回路に入力されるデータ量を低減する。【解決手段】プロジェクター１は、カラー映像信号Ｄが入力されるメイン信号処理回路６０と、メイン信号処理回路６０が出力する色ごとの映像信号が入力される複数のサブ信号処理回路６１Ｒ、６１Ｇ、６１Ｂと、を備えており、メイン信号処理回路６０は、入力されたカラー映像信号Ｄにおける複数の色の情報に基づいて、サブ信号処理回路６１Ｒ、６１Ｇ、６１Ｂが所定の処理を実行する際に利用する情報を生成し、色ごとの映像信号と共に、サブ信号処理回路６１Ｒ、６１Ｇ、６１Ｂのそれぞれに出力する。【選択図】図２
2015099241.tif 000002
【特許請求の範囲】
【請求項１】
カラー映像データが入力されるメイン信号処理回路と、
前記メイン信号処理回路が出力する色ごとの映像データが入力される複数のサブ信号処理回路と、を備え、
前記メイン信号処理回路は、
入力されたカラー映像データにおける複数の色の情報に基づいて、各前記サブ信号処理回路が所定の処理を実行する際に利用する情報を生成し、生成した情報を示すデータを、色ごとの映像データと共に、各前記サブ信号処理回路に出力することを特徴とする表示装置。
【請求項２】
各前記サブ信号処理回路は、
輝度に関する情報に基づく処理を実行し、
前記メイン信号処理回路は、
入力されたカラー映像データにおける複数の色の情報に基づいて、輝度に関する情報を生成し、生成した輝度に関する情報を示すデータを、色ごとの映像データと共に、各前記サブ信号処理回路に出力することを特徴とする請求項１に記載の表示装置。
【請求項３】
色ごとに、色変調部、及び、輝度変調部を備え、
各前記サブ信号処理回路は、
入力された対応する色の映像データに基づいて、対応する前記色変調部を駆動する駆動信号を生成し、対応する前記色変調部に出力すると共に、
入力された輝度に関する情報を示すデータに基づいて、対応する前記輝度変調部を駆動する駆動信号を生成し、対応する前記輝度変調部に出力することを特徴とする請求項２に記載の表示装置。
【請求項４】
前記メイン信号処理回路は、
色ごとの映像データを、垂直同期信号に同期させて、各前記サブ信号処理回路に出力すると共に、垂直同期信号によって規定される１周期分の期間のうち、映像データの出力が完了した後に形成されるブランク期間に、各前記サブ信号処理回路が所定の処理を実行する際に利用する情報を示すデータを、各前記サブ信号処理回路に出力することを特徴とする請求項１乃至３のいずれかに記載の表示装置。
【請求項５】
カラー映像データが入力されるメイン信号処理回路と、前記メイン信号処理回路が出力する色ごとの映像データが入力される複数のサブ信号処理回路と、を備える表示装置の制御方法であって、
前記メイン信号処理回路は、
入力されたカラー映像データにおける複数の色の情報に基づいて、各前記サブ信号処理回路が所定の処理を実行する際に利用する情報を生成し、生成した情報を示すデータを、色ごとの映像データと共に、各前記サブ信号処理回路に出力することを特徴とする表示装置の制御方法。
【発明の詳細な説明】
【技術分野】
【０００１】
本発明は、カラー映像データを処理する表示装置、及び、当該表示装置の制御方法に関する。
【背景技術】
【０００２】
従来、赤色（Ｒ）、緑色（Ｇ）、及び、青色（Ｂ）の光を変調する液晶パネルを備え、これら液晶パネルで変調した光を合成して投射する表示装置（投射型表示装置）が知られている（例えば、特許文献１参照）。この種の表示装置は、入力されたカラー映像信号（カラー映像データ）に対して各種処理を施して各色の画像データを生成し、生成した画像データに基づいて、液晶パネルを駆動する。
【先行技術文献】
【特許文献】
【０００３】
【特許文献１】特開２００６−７２２３１号公報
【発明の概要】
【発明が解決しようとする課題】
【０００４】
ここで、上述した表示装置において、映像信号に基づく処理を実行する機能を有する信号処理回路を、色ごとに、設けることを想定する。このような構成とすることにより、それぞれの信号処理回路の処理負荷が軽減され、処理効率の向上が望めると共に、それぞれの信号処理回路について高性能化の必要性の抑制が望める。この場合、各色の信号処理回路に入力されるデータ量を低減することができれば、各信号処理回路の入力に係るバスにおける通信効率の向上、各信号処理回路における処理効率の向上等を図ることが可能となる。
本発明は、上述した事情に鑑みてなされたものであり、色ごとに信号処理回路を設けた上で、各色の信号処理回路に入力されるデータ量を低減することを目的とする。
【課題を解決するための手段】
【０００５】
上記目的を達成するために、本発明は、表示装置であって、カラー映像データが入力されるメイン信号処理回路と、前記メイン信号処理回路が出力する色ごとの映像データが入力される複数のサブ信号処理回路と、を備え、前記メイン信号処理回路は、入力されたカラー映像データにおける複数の色の情報に基づいて、各前記サブ信号処理回路が所定の処理を実行する際に利用する情報を生成し、生成した情報を示すデータを、色ごとの映像データと共に、各前記サブ信号処理回路に出力することを特徴とする。
この構成によれば、色ごとに設けられたサブ信号処理回路は、所定の処理に際し、対応する色の情報のみならず、複数の色の情報に基づく情報を利用するが、メイン信号処理回路は、当該複数の色に基づく情報を生成し、各サブ信号処理回路に出力する。このため、メイン信号処理回路から、サブ信号処理回路に対して、複数の色の映像信号を出力する必要がなく、各サブ信号処理回路に入力されるデータ量の低減を実現できる。
【０００６】
また、本発明は、各前記サブ信号処理回路は、輝度に関する情報に基づく処理を実行し、前記メイン信号処理回路は、入力されたカラー映像データにおける複数の色の情報に基づいて、輝度に関する情報を生成し、生成した輝度に関する情報を示すデータを、色ごとの映像データと共に、各前記サブ信号処理回路に出力することを特徴とする。
ここで、輝度に関する情報は、例えばＲＧＢ値の加重平均等、複数の色の情報に基づいて算出される。そして、上記構成によれば、メイン信号処理回路が、輝度に関する情報を生成し、各サブ信号処理回路に出力するため、各サブ信号処理回路に、複数の色の映像信号を入力し、各サブ信号処理回路が輝度に関する情報を生成する構成とする必要がなく、各サブ信号処理回路に入力されるデータ量の低減を実現できる。
【０００７】
また、本発明は、色ごとに、色変調部、及び、輝度変調部を備え、各前記サブ信号処理回路は、入力された対応する色の映像データに基づいて、対応する前記色変調部を駆動する駆動信号を生成し、対応する前記色変調部に出力すると共に、入力された輝度に関する情報を示すデータに基づいて、対応する前記輝度変調部を駆動する駆動信号を生成し、対応する前記輝度変調部に出力することを特徴とする。
この構成によれば、各サブ信号処理回路に入力されるデータ量の低減を図りつつ、色変調部、及び、輝度変調部の適切な駆動が可能となる。
【０００８】
また、本発明は、前記メイン信号処理回路は、色ごとの映像データを、垂直同期信号に同期させて、各前記サブ信号処理回路に出力すると共に、垂直同期信号によって規定される１周期分の期間のうち、映像データの出力が完了した後に形成されるブランク期間に、各前記サブ信号処理回路が所定の処理を実行する際に利用する情報を示すデータを、各前記サブ信号処理回路に出力することを特徴とする。
この構成によれば、より効率的に、各サブ信号処理回路に入力されるデータ量の低減を実現できる。
【０００９】
また、上記目的を達成するために、本発明は、カラー映像データが入力されるメイン信号処理回路と、前記メイン信号処理回路が出力する色ごとの映像データが入力される複数のサブ信号処理回路と、を備える表示装置の制御方法であって、前記メイン信号処理回路は、入力されたカラー映像データにおける複数の色の情報に基づいて、各前記サブ信号処理回路が所定の処理を実行する際に利用する情報を生成し、生成した情報を示すデータを、色ごとの映像データと共に、各前記サブ信号処理回路に出力することを特徴とする。
この構成によれば、色ごとに設けられたサブ信号処理回路は、所定の処理に際し、対応する色の情報のみならず、複数の色の情報に基づく情報を利用するが、メイン信号処理回路は、当該複数の色に基づく情報を生成し、各サブ信号処理回路に出力する。このため、メイン信号処理回路から、サブ信号処理回路に対して、複数の色の映像信号を出力する必要がなく、各サブ信号処理回路に入力されるデータ量の低減を実現できる。
【発明の効果】
【００１０】
本発明によれば、色ごとに信号処理回路を設けた上で、各色の信号処理回路に入力されるデータ量を低減できる。
【図面の簡単な説明】
【００１１】
【図１】本実施形態に係るプロジェクターの構成を示す図である。
【図２】信号処理部の機能的構成を示すブロック図である。
【図３】メイン信号処理回路の機能的構成を示すブロック図である。
【図４】垂直、水平同期信号との関係で、メイン信号処理回路が出力する信号を示す図である。
【図５】サブ信号処理回路の機能的構成を示すブロック図である。
【発明を実施するための形態】
【００１２】
以下、図面を参照して本発明の実施形態について説明する。
図１は、本実施形態に係る表示装置としてのプロジェクター１（表示装置）の全体構成を示すブロック図である。プロジェクター１は、パーソナルコンピューターや各種映像プレーヤー等の外部の画像供給装置（図示略）に接続され、この画像供給装置から入力されるカラー映像信号Ｄ（カラー映像データ）に基づく画像をスクリーンＳＣ等の表示面に投射して表示する装置である。上記の画像供給装置としては、ビデオ再生装置、ＤＶＤ再生装置、テレビチューナー装置、ＣＡＴＶのセットトップボックス、ビデオゲーム装置等の映像出力装置、パーソナルコンピューター等が挙げられる。プロジェクター１は、静止画像および動画像のいずれであっても表示可能である。
【００１３】
プロジェクター１は、大きく分けて光学的な画像の形成を行う表示系２と、この表示系２により表示する画像を電気的に処理する画像処理系３とからなる。
表示系２は、光源部１０と、照明光学系１１と、色分離光学系１２と、光変調部１３と、投射光学系１４とを備えている。
光源部１０は、キセノンランプ、超高圧水銀ランプ、ＬＥＤ等を有する光源を備え、光源が発した光を、照明光学系１１に出力する。光源部１０は、光源が発した光を照明光学系１１に導くリフレクター及び補助リフレクターを備えていてもよく、投射光の光学特性を高めるためのレンズ群（図示略）、偏光板、或いは光源が発した光の光量を照明光学系１１に至る経路上で低減させる調光素子等を備えたものであってもよい。
照明光学系１１は、光源部１０が発する光を平行化し、光の照度を均一化し、光の偏光方向を一方向に揃え、色分離光学系１２に出力する。
色分離光学系１２は、反射ミラー、及び、ダイクロイックミラーを備え、照明光学系１１から入力された光について、赤色（Ｒ）、緑色（Ｇ）、及び、青色（Ｂ）の３つの色の光に分離し、光変調部１３における輝度変調用液晶ライトバルブ１６Ｒ、１６Ｇ、１６Ｂ（後述）に出力する。
【００１４】
光変調部１３は、赤色（Ｒ）、緑色（Ｇ）、及び、青色（Ｂ）に対応して、３つの輝度変調用液晶ライトバルブ１６Ｒ、１６Ｇ、１６Ｂ（それぞれ、「輝度変調部」に対応）と、３つの色変調用液晶ライトバルブ１７Ｒ、１７Ｇ、１７Ｂ（それぞれ、「色変調部」に対応）と、を備えている。
輝度変調用液晶ライトバルブ１６Ｒ、１６Ｇ、１６Ｂは、透過率を独立に制御可能な複数の画素がマトリックス状に配置された液晶ライトバルブである。輝度変調用液晶ライトバルブ１６Ｒ、１６Ｇ、１６Ｂのそれぞれは、入力された光について、光の全波長領域の輝度を変調し、色変調用液晶ライトバルブ１７Ｒ、１７Ｇ、１７Ｂ（後述）に出力する。輝度変調用液晶ライトバルブ１６Ｒ、１６Ｇ、１６Ｂは、高い輝度ダイナミックレンジを実現すべく設けられた部材である。後に詳述するように、輝度変調用液晶ライトバルブ１６Ｒ、１６Ｇ、１６Ｂは、後述する輝度情報Ｋ（輝度に関する情報を示すデータ）に基づいて駆動され、各液晶ライトバルブを透過する光の輝度を適切に変調する。なお、輝度変調用液晶ライトバルブ１６Ｒ、１６Ｇ、１６Ｂのそれぞれの後段にフライアイレンズを設け、照度分布の均一化を図る構成であってもよい。
色変調用液晶ライトバルブ１７Ｒ、１７Ｇ、１７Ｂは、透過率を独立に制御可能な複数の画素がマトリックス状に配置された液晶ライトバルブである。色変調用液晶ライトバルブ１７Ｒ、１７Ｇ、１７Ｂは、マトリックス状に配置された各画素における光の透過率を変化させることにより、入力された光を変調し、出力する。色変調用液晶ライトバルブ１７Ｒ、１７Ｇ、１７Ｂのそれぞれの画素は、スクリーンＳＣに投影すべき画像に基づいて制御され、その透過率が変更される。この結果、各液晶ライトバルブを透過する光が、投影すべき画像に応じて変調される。色変調用液晶ライトバルブ１７Ｒ、１７Ｇ、１７Ｂが変調した光は、図示せぬクロスダイクロイッックプリズムにより合成されて、投射光学系１４に出力される。
投射光学系１４は、投射する画像の拡大・縮小および焦点の調整を行うズームレンズ、ズームの度合いを調整するズーム調整用モーター、フォーカスの調整を行うフォーカス調整用モーター等を備えている。投射光学系１４は、光変調部１３で変調された光を、ズームレンズを用いてスクリーンＳＣ上に投射して結像させる。
【００１５】
一方、画像処理系３は、制御部２０と、光源駆動部２１と、投射光学系駆動部２２と、記憶部２３と、リモコン受光部２４と、入力部２５と、信号処理部２６と、を備えている。
制御部２０は、ＣＰＵや、ＲＯＭ、ＲＡＭ、その他の周辺回路等を備え、プロジェクター１の各部を制御する。
光源駆動部２１は、光源部１０の駆動に係る駆動回路等を備え、制御部２０の制御の下、光源部１０を駆動する。
投射光学系駆動部２２は、投射光学系１４の駆動に係る駆動回路等を備え、制御部２０の制御の下、投射光学系１４を駆動する。
記憶部２３は、ＥＥＰＲＯＭ等の不揮発性メモリーを備え、各種データを書き換え可能に記憶する。記憶部２３には、プロジェクター１の制御に係る制御プログラムが記憶されている。
リモコン受光部２４は、リモコン５から受光した赤外線信号をデコードして、制御部２０に出力する。制御部２０は、リモコン受光部２４からの入力に基づいて、リモコン５に対する操作内容を検出する。
入力部２５は、プロジェクター１に設けられた各種スイッチや、タッチパネル等の操作部に接続され、操作部に対する操作を検出して、制御部２０に出力する。制御部２０は、入力部２５からの入力に基づいて、操作部に対する操作内容を検出する。
信号処理部２６は、制御部２０の制御の下、輝度変調用液晶ライトバルブ１６Ｒ、１６Ｇ、１６Ｂ、及び、色変調用液晶ライトバルブ１７Ｒ、１７Ｇ、１７Ｂを駆動する。
以下、信号処理部２６の構成、機能、及び、処理について、詳述する。
【００１６】
図２は、信号処理部２６の構成を示す図である。
図２に示すように、信号処理部２６は、メイン信号処理回路６０と、３つのサブ信号処理回路６１Ｒ、６１Ｇ、６１Ｂと、これらサブ信号処理回路６１Ｒ、６１Ｇ、６１Ｂごとに設けられた３つの輝度変調用液晶ライトバルブ駆動回路６２Ｒ、６２Ｇ、６２Ｂ、及び、３つの色変調用液晶ライトバルブ駆動回路６３Ｒ、６３Ｇ、６３Ｂと、を備えている。メイン信号処理回路６０、及び、サブ信号処理回路６１Ｒ、６１Ｇ、６１Ｂは、ＩＣ（集積回路）である。
以下、図２を用いて、信号処理部２６の各部の基本的な機能について説明する。
メイン信号処理回路６０には、垂直同期信号、及び、水平同期信号と共に、カラー映像信号Ｄが入力される。
メイン信号処理回路６０は、入力されたカラー映像信号Ｄに基づいて、輝度情報Ｋ（後述）を生成する。
さらに、メイン信号処理回路６０は、カラー映像信号Ｄに基づいて赤色成分の映像信号である赤色映像信号Ｄｒ（色ごとの映像データ）を生成すると共に、垂直同期信号及び水平同期信号を含むタイミング信号であるタイミング信号Ｔｒを生成し、赤色映像信号Ｄｒ、及び、輝度情報Ｋと、タイミング信号Ｔｒとをサブ信号処理回路６１Ｒに出力する。
同様に、メイン信号処理回路６０は、緑色に係る緑色映像信号Ｄｇ（色ごとの映像データ）、及び、タイミング信号Ｔｇを生成し、緑色映像信号Ｄｇ、及び、輝度情報Ｋと、タイミング信号Ｔｇとをサブ信号処理回路６１Ｇに出力する。また、メイン信号処理回路６０は、青色に係る青色映像信号Ｄｂ（色ごとの映像データ）、及び、タイミング信号Ｔｂを生成し、青色映像信号Ｄｂ、及び、輝度情報Ｋと、タイミング信号Ｔｂとをサブ信号処理回路６１Ｂに出力する。
【００１７】
サブ信号処理回路６１Ｒは、入力された輝度情報Ｋ、及び、タイミング信号Ｔｒに基づいて、適切なタイミングで、輝度変調用液晶ライトバルブ駆動回路６２Ｒに駆動信号Ｅｒを出力する。輝度変調用液晶ライトバルブ駆動回路６２Ｒは、Ｄ／Ａ変換回路、及び、ドライバーＩＣを含んで構成されており、入力された駆動信号Ｅｒに基づいて、輝度変調用液晶ライトバルブ１６Ｒに駆動電圧を印加して当該液晶ライトバルブを駆動し、マトリックス状に配置された各画素における光の透過率を変化させる。
さらに、サブ信号処理回路６１Ｒは、入力された赤色映像信号Ｄｒ、及び、タイミング信号Ｔｒに基づいて、適切なタイミングで、色変調用液晶ライトバルブ駆動回路６３Ｒに駆動信号Ｆｒを出力する。色変調用液晶ライトバルブ駆動回路６３Ｒは、Ｄ／Ａ変換回路、及び、ドライバーＩＣを含んで構成されており、入力された駆動信号Ｆｒに基づいて、色変調用液晶ライトバルブ１７Ｒに駆動電圧を印加して当該液晶ライトバルブを駆動し、投影すべき画像に応じてマトリックス状に配置された各画素における光の透過率を変化させる。
同様に、サブ信号処理回路６１Ｇは、入力された輝度情報Ｋ（後述）、及び、タイミング信号Ｔｇに基づいて、適切なタイミングで、輝度変調用液晶ライトバルブ駆動回路６２Ｇに駆動信号Ｅｇを出力する。輝度変調用液晶ライトバルブ駆動回路６２Ｇは、Ｄ／Ａ変換回路、及び、ドライバーＩＣを含んで構成されており、入力された駆動信号Ｅｇに基づいて、輝度変調用液晶ライトバルブ１６Ｇに駆動電圧を印加して当該液晶ライトバルブを駆動し、マトリックス状に配置された各画素における光の透過率を変化させる。さらに、サブ信号処理回路６１Ｇは、入力された緑色映像信号Ｄｇ、及び、タイミング信号Ｔｇに基づいて、適切なタイミングで、色変調用液晶ライトバルブ駆動回路６３Ｇに駆動信号Ｆｇを出力する。色変調用液晶ライトバルブ駆動回路６３Ｇは、Ｄ／Ａ変換回路、及び、ドライバーＩＣを含んで構成されており、入力された駆動信号Ｆｇに基づいて、色変調用液晶ライトバルブ１７Ｇに駆動電圧を印加して当該液晶ライトバルブを駆動し、マトリックス状に配置された各画素における光の透過率を変化させる。
また、サブ信号処理回路６１Ｂは、入力された輝度情報Ｋ（後述）、及び、タイミング信号Ｔｂに基づいて、適切なタイミングで、輝度変調用液晶ライトバルブ駆動回路６２Ｂに駆動信号Ｅｂを出力する。輝度変調用液晶ライトバルブ駆動回路６２Ｂは、Ｄ／Ａ変換回路、及び、ドライバーＩＣを含んで構成されており、入力された駆動信号Ｅｂに基づいて、輝度変調用液晶ライトバルブ１６Ｂに駆動電圧を印加して当該液晶ライトバルブを駆動し、マトリックス状に配置された各画素における光の透過率を変化させる。さらに、サブ信号処理回路６１Ｂは、入力された青色映像信号Ｄｂ、及び、タイミング信号Ｔｂに基づいて、適切なタイミングで、色変調用液晶ライトバルブ駆動回路６３Ｂに駆動信号Ｆｂを出力する。色変調用液晶ライトバルブ駆動回路６３Ｂは、Ｄ／Ａ変換回路、及び、ドライバーＩＣを含んで構成されており、入力された駆動信号Ｆｂに基づいて、色変調用液晶ライトバルブ１７Ｂに駆動電圧を印加して当該液晶ライトバルブを駆動し、マトリックス状に配置された各画素における光の透過率を変化させる。
【００１８】
このように、本実施形態に係るプロジェクター１では、信号処理を行なう信号処理回路（サブ信号処理回路６１Ｒ、６１Ｇ、６１Ｂ）が色ごとに独立して３つ設けられた構成となっている。このような構成とすることにより、全ての色に係る信号処理を１つの信号処理回路が実行する構成の場合と比較して、１つの信号処理回路の処理負荷が軽減され、処理効率の向上が望め、また、それぞれの信号処理回路について高性能化の必要性の抑制、それに伴う低コスト化が望める。
一方で、このような構成の場合、メイン信号処理回路６０から、サブ信号処理回路６１Ｒ、６１Ｇ、６１Ｂに入力されるデータ量を低減することができれば、サブ信号処理回路６１Ｒ、６１Ｇ、６１Ｂのそれぞれの入力に係るバスにおける通信効率の向上、サブ信号処理回路６１Ｒ、６１Ｇ、６１Ｂのそれぞれにおける処理効率の向上を図ることが可能となる。
以上を踏まえ、本実施形態に係るプロジェクター１の信号処理部２６は、以下の構成の下、以下の処理を実行することにより、サブ信号処理回路６１Ｒ、６１Ｇ、６１Ｂのそれぞれに入力されるデータ量の低減を実現している。
【００１９】
図３は、メイン信号処理回路６０の機能的構成を示すブロック図である。
図３に示すように、メイン信号処理回路６０は、映像信号入力部７０と、映像信号加工部７１と、メモリー７２と、タイミング調整処理部７３と、ＲＧＢ分配部７４と、を備えている。
映像信号入力部７０には、垂直同期信号、及び、水平同期信号が含まれたカラー映像信号Ｄが入力される。映像信号入力部７０は、入力されたカラー映像信号Ｄを、映像信号加工部７１に出力する。
映像信号加工部７１は、入力されたカラー映像信号Ｄについて、垂直同期信号に基づいて、１フレーム分の画像データであるフレーム画像データＰを切り出す。フレーム画像データＰは、ドットにより構成されるデータであって、ドットごとに、赤色（Ｒ）、緑色（Ｇ）、及び、青色（Ｂ）の色成分を所定階調（例えば、２５６階調）の階調値として保持するものである。
さらに、映像信号加工部７１は、フレーム画像データＰを構成するドットのそれぞれについて、輝度を算出し、各ドットの輝度を示す情報を含んで構成された輝度情報Ｋを生成する。ここで、本実施形態では、映像信号加工部７１は、１のドットの輝度を、当該１のドットの赤色（Ｒ）、緑色（Ｇ）、及び、青色（Ｂ）の階調値の加重平均により算出する。ドットの輝度の算出方法は、上記方法に限らないが、画像を表示する際に、画像を構成する画素ごとに原色の光を加法混色する表示装置において、ある１の画素に対応するドットの輝度を算出するためには、当該ドットの赤色（Ｒ）、緑色（Ｇ）、及び、青色（Ｂ）に関する情報が必要である。
次いで、映像信号加工部７１は、生成したフレーム画像データＰと、輝度情報Ｋとを対応づけて、一時記憶領域（バッファー）が形成されたメモリー７２に一時記憶する。
さらに、映像信号加工部７１は、カラー映像信号Ｄに含まれる垂直同期信号、及び、水平同期信号に基づいて、垂直同期信号、及び、水平同期信号を含むタイミング信号Ｔを生成し、タイミング調整処理部７３に出力する。
【００２０】
タイミング調整処理部７３は、映像信号加工部７１から入力されたタイミング信号Ｔが示すタイミングに準じて、メモリー７２に一時記憶されたフレーム画像データＰ、及び、当該データに対応づけられた輝度情報Ｋを読み出す。
次いで、タイミング調整処理部７３は、読み出したフレーム画像データＰ、及び、輝度情報Ｋと、入力されたタイミング信号Ｔとを同期させてＲＧＢ分配部７４に出力する。
その際、タイミング調整処理部７３は、タイミング信号Ｔにおける垂直同期信号によって規定される１周期分の期間において、フレーム画像データＰに基づく信号の出力が完了した後に形成されるブランク期間に、輝度情報Ｋに基づく信号を出力する。
図４は、出力されるフレーム画像データＰ、及び、輝度情報Ｋを、タイミング信号Ｔにおける垂直同期信号、及び、水平信号同期信号との関係で示す図である。
図４に示すように、フレーム画像データＰは、垂直同期信号によって規定される１周期分の期間内で、水平同期信号と同期しつつ、信号としてＲＧＢ分配部７４に出力される。さらに、輝度情報Ｋは、垂直同期信号によって規定される１周期分の期間内で、フレーム画像データＰに基づく信号の出力が完了した後に形成されるブランク期間に、信号としてＲＧＢ分配部７４に出力される。
【００２１】
ＲＧＢ分配部７４は、入力されたフレーム画像データＰに基づいて赤色成分の映像信号である赤色映像信号Ｄｒを生成すると共に、タイミング信号Ｔに基づいてタイミング信号Ｔｒを生成する。次いで、ＲＧＢ分配部７４は、赤色映像信号Ｄｒ、及び、輝度情報Ｋと、タイミング信号Ｔｒとをサブ信号処理回路６１Ｒに出力する。その際、ＲＧＢ分配部７４は、図４を用いて説明した方法と同様、タイミング信号Ｔｒにおける垂直同期信号によって規定される１周期分の期間において、赤色映像信号Ｄｒの出力が完了した後に形成されるブランク期間に、輝度情報Ｋに基づく信号を出力する。
同様に、ＲＧＢ分配部７４は、入力されたフレーム画像データＰに基づいて緑色成分の映像信号である緑色映像信号Ｄｇを生成すると共に、タイミング信号Ｔに基づいてタイミング信号Ｔｇを生成する。次いで、ＲＧＢ分配部７４は、緑色映像信号Ｄｇ、及び、輝度情報Ｋと、タイミング信号Ｔｇとをサブ信号処理回路６１Ｇに出力する。その際、ＲＧＢ分配部７４は、図４を用いて説明した方法と同様、タイミング信号Ｔｇにおける垂直同期信号によって規定される１周期分の期間において、緑色映像信号Ｄｇの出力が完了した後に形成されるブランク期間に、輝度情報Ｋに基づく信号を出力する。
また同様に、ＲＧＢ分配部７４は、入力されたフレーム画像データＰに基づいて青色成分の映像信号である青色映像信号Ｄｂを生成すると共に、タイミング信号Ｔに基づいてタイミング信号Ｔｂを生成する。次いで、ＲＧＢ分配部７４は、青色映像信号Ｄｂ、及び、輝度情報Ｋと、タイミング信号Ｔｂとをサブ信号処理回路６１Ｂに出力する。その際、ＲＧＢ分配部７４は、図４を用いて説明した方法と同様、タイミング信号Ｔｂにおける垂直同期信号によって規定される１周期分の期間において、青色映像信号Ｄｂの出力が完了した後に形成されるブランク期間に、輝度情報Ｋに基づく信号を出力する。
なお、メイン信号処理回路６０は、入力されたカラー映像信号Ｄに基づいて、フレームごとに、上記で説明した処理を実行する。
【００２２】
図５は、サブ信号処理回路６１Ｒの機能的構成を示すブロック図である。
なお、なお、サブ信号処理回路６１Ｇ、６１Ｂの構成、機能、及び、処理は、サブ信号処理回路６１Ｒと同様であるため、以下では、これら信号処理回路のうち、サブ信号処理回路６１Ｒを代表してその構成、機能、及び、処理について説明する。
図５に示すように、サブ信号処理回路６１Ｒは、画像処理部８０Ｒと、サブメモリー８１Ｒと、輝度変調用駆動信号出力部８２Ｒと、色変調用駆動信号出力部８３Ｒと、を備えている。
画像処理部８０Ｒには、赤色映像信号Ｄｒ、及び、輝度情報Ｋと、タイミング信号Ｔｒと、が入力される。
画像処理部８０Ｒは、入力された赤色映像信号Ｄｒに基づいて１フレーム分の画像データである赤色フレーム画像データＰｒを生成する。
次いで、画像処理部８０Ｒは、赤色フレーム画像データＰｒについて、サイズの調整に係る処理や、カラー映像信号Ｄの解像度と液晶ライトバルブの解像度との差異を吸収する解像度変換処理、キーストーン補正処理、リモコン５等の操作により指示されたズームに基づく拡大／縮小処理等の必要な画像処理を施す。
次いで、画像処理部８０Ｒは、画像処理を施した後の赤色フレーム画像データＰｒと、輝度情報Ｋとを対応づけて、一時記憶領域（バッファー）が形成されたサブメモリー８１Ｒに一時記憶する。
さらに、画像処理部８０Ｒは、入力されたタイミング信号Ｔｒを、輝度変調用駆動信号出力部８２Ｒ、及び、色変調用駆動信号出力部８３Ｒのそれぞれに、同期をとって出力する。
【００２３】
輝度変調用駆動信号出力部８２Ｒは、画像処理部８０Ｒから入力されたタイミング信号Ｔｒが示すタイミングに準じて、サブメモリー８１Ｒに一時記憶された輝度情報Ｋを読み出す。
次いで、輝度変調用駆動信号出力部８２Ｒは、読み出した輝度情報Ｋに基づいて、駆動信号Ｅｒを生成し、入力されたタイミング信号Ｔｒに基づく適切なタイミングで、輝度変調用液晶ライトバルブ駆動回路６２Ｒに出力する。
詳述すると、輝度変調用液晶ライトバルブ１６Ｒは、高い輝度ダイナミックレンジを実現すべく設けられた部材である。そして、輝度変調用駆動信号出力部８２Ｒには、以下の機能が実装されている。すなわち、高い輝度ダイナミンクレンジを実現するという観点から、１フレーム分の画像データであるフレーム画像データＰの各ドットの輝度に基づいて、輝度変調用液晶ライトバルブ１６Ｒを構成する各画素の最適な光の透過率を決定し、各画素が決定した透過率となるように輝度変調用液晶ライトバルブ１６Ｒを駆動するために出力すべき駆動信号Ｅｒを生成する機能である。輝度変調用駆動信号出力部８２Ｒは、上記機能により、輝度情報Ｋに基づいて駆動信号Ｅｒを生成し、タイミング信号Ｔｒに基づく適切なタイミングで、輝度変調用液晶ライトバルブ駆動回路６２Ｒに出力する。
上述したように、輝度変調用液晶ライトバルブ駆動回路６２Ｒは、入力された駆動信号Ｅｒに基づいて、適切なタイミングで輝度変調用液晶ライトバルブ１６Ｒに駆動電圧を印加し、当該液晶ライトバルブを駆動する。
【００２４】
このように、本実施形態では、サブ信号処理回路６１Ｒは、輝度情報Ｋに基づく処理を実行する。この輝度情報Ｋは、カラー映像信号Ｄにおける赤色（Ｒ）、緑色（Ｇ）、及び、青色（Ｂ）の情報に基づいて生成される情報である。そして、メイン信号処理回路６０は、カラー映像信号Ｄに基づいて、輝度情報Ｋを生成し、サブ信号処理回路６１Ｒに出力する。輝度情報Ｋが入力されたサブ信号処理回路６１Ｒは、輝度情報Ｋを利用して、駆動信号Ｅｒを生成し出力する。
このような構成のため、サブ信号処理回路６１Ｒに、輝度情報Ｋの生成のために、赤色以外の色の映像信号を入力する構成とする必要がない。このため、メイン信号処理回路６０からサブ信号処理回路６１Ｒに入力されるデータ量を低減でき、これら回路間を接続するバスにおける通信効率の向上をはかれると共に、例えば、カラー映像信号Ｄや、他の色の映像信号等の輝度情報Ｋを生成するために必要な情報の入出力用の信号ラインを設ける必要がなく、従って、サブ信号処理回路６１Ｒに対応する入出力ピンを設ける必要がない。
特に本実施形態では、上述したブランク期間を利用して、メイン信号処理回路６０からサブ信号処理回路６１Ｒへの輝度情報Ｋの出力を行うため、効率よくデータの出力を行うことができる。
さらに、サブ信号処理回路６１Ｒに、輝度情報Ｋを生成する機能を実装する必要がなく、サブ信号処理回路６１Ｒにおける処理効率の向上を図ることが可能となる。
以上の効果は、サブ信号処理回路６１Ｇ、６１Ｂについても同様である。
【００２５】
一方、色変調用駆動信号出力部８３Ｒは、画像処理部８０Ｒから入力されたタイミング信号Ｔｒが示すタイミングに準じて、サブメモリー８１Ｒに一時記憶された赤色フレーム画像データＰｒを読み出す。
次いで、色変調用駆動信号出力部８３Ｒは、読み出した赤色フレーム画像データＰｒに基づいて、駆動信号Ｆｒを生成し、入力されたタイミング信号Ｔｒに基づく適切なタイミングで、色変調用液晶ライトバルブ駆動回路６３Ｒに出力する。
上述したように、色変調用液晶ライトバルブ駆動回路６３Ｒは、入力された駆動信号Ｆｒに基づいて、適切なタイミングで色変調用液晶ライトバルブ１７Ｒに駆動電圧を印加し、当該液晶ライトバルブを駆動する。この結果、色変調用液晶ライトバルブ１７Ｒを透過する画像が、投影すべき画像に応じて変調される。
【００２６】
以上説明したように、本実施形態に係るプロジェクター１は、カラー映像信号Ｄが入力されるメイン信号処理回路６０と、メイン信号処理回路６０が出力する色ごとの映像信号が入力される複数のサブ信号処理回路６１Ｒ、６１Ｇ、６１Ｂと、を備えている。そして、メイン信号処理回路６０は、入力されたカラー映像信号Ｄにおける複数の色の情報に基づいて、サブ信号処理回路６１Ｒ、６１Ｇ、６１Ｂが所定の処理を実行する際に利用する情報を生成し、色ごとの映像信号と共に、サブ信号処理回路６１Ｒ、６１Ｇ、６１Ｂのそれぞれに出力する。
この構成によれば、メイン信号処理回路６０から、サブ信号処理回路６１Ｒ、６１Ｇ、６１Ｂに対して、複数の色の映像信号を出力する必要がなく、サブ信号処理回路６１Ｒ、６１Ｇ、６１Ｂに入力されるデータ量の低減を実現できる。
【００２７】
また、本実施形態では、サブ信号処理回路６１Ｒ、６１Ｇ、６１Ｂのそれぞれは、輝度に関する情報に基づく処理を実行し、メイン信号処理回路６０は、入力されたカラー映像信号Ｄにおける、赤色（Ｒ）、緑色（Ｇ）、及び、青色（Ｂ）の情報に基づいて、輝度に関する情報である輝度情報Ｋを生成し、色ごとの映像信号と共に、サブ信号処理回路６１Ｒ、６１Ｇ、６１Ｂのそれぞれに出力する。
この構成によれば、サブ信号処理回路６１Ｒ、６１Ｇ、６１Ｂに、複数の色の映像信号を入力し、サブ信号処理回路６１Ｒ、６１Ｇ、６１Ｂが輝度情報Ｋを生成する構成とする必要がなく、各サブ信号処理回路に入力されるデータ量の低減を実現できる。また、サブ信号処理回路６１Ｒ、６１Ｇ、６１Ｂの処理効率を向上できる。
【００２８】
また、本実施形態に係るプロジェクター１は、輝度変調用液晶ライトバルブ１６Ｒ、１６Ｇ、１６Ｂ（輝度変調部）と、色変調用液晶ライトバルブ１７Ｒ、１７Ｇ、１７Ｂ（色変調部）とを備えている。そして、サブ信号処理回路６１Ｒ、６１Ｇ、６１Ｂは、入力された輝度情報Ｋに基づいて、対応する輝度変調用液晶ライトバルブ１６Ｒ、１６Ｇ、１６Ｂを駆動する駆動信号を生成して出力すると共に、入力された色ごとの映像信号に基づいて、対応する色変調用液晶ライトバルブ１７Ｒ、１７Ｇ、１７Ｂを駆動する駆動信号を生成して出力する。
この構成によれば、サブ信号処理回路６１Ｒ、６１Ｇ、６１Ｂに入力されるデータ量の低減を図りつつ、輝度変調用液晶ライトバルブ１６Ｒ、１６Ｇ、１６Ｂ、及び、輝度変調用液晶ライトバルブ１６Ｒ、１６Ｇ、１６Ｂの適切な駆動が可能となる。
【００２９】
また、メイン信号処理回路６０は、色ごとの映像信号を、垂直同期信号に同期させて、サブ信号処理回路６１Ｒ、６１Ｇ、６１Ｂに出力すると共に、垂直同期信号によって規定される１周期分の期間のうち、映像信号の出力が完了した後に形成されるブランク期間に、輝度情報Ｋを出力する。
この構成によれば、より効率的に、サブ信号処理回路６１Ｒ、６１Ｇ、６１Ｂに入力されるデータ量の低減を実現できる。
【００３０】
なお、上述した実施の形態は、あくまでも本発明の一態様を示すものであり、本発明の範囲内で任意に変形および応用が可能である。
例えば上述した実施形態では、輝度情報Ｋが、「サブ信号処理回路が所定の処理を実行する際に利用する情報」に該当していた。しかしながら、「サブ信号処理回路が所定の処理を実行する際に利用する情報」は、輝度情報Ｋに限らず、サブ信号処理回路６１Ｒ、６１Ｇ、６１Ｂが、例えば、彩度や、明度に基づく処理を実行するのであれば、これら彩度や、明度に関する情報であってもよい。すなわち、「サブ信号処理回路が所定の処理を実行する際に利用する情報」は、複数の色の情報に基づいて生成される情報であって、サブ信号処理回路６１Ｒ、６１Ｇ、６１Ｂの処理に供する情報を広く含む概念である。
また、上述した実施形態では、画像処理の機能を有する信号処理回路を複数備えるプロジェクターの本発明を適用した場合を例にして、本発明を説明したが、例えば、複数の投射光学系を有し、これら複数の投射光学系が投射する画像の全域、又は、一部を重ね合わせて画像を表示するプロジェクターであって、投射光学系のそれぞれを制御するためのＩＣ（集積回路）を複数備えるもの、についても本発明を適用可能である。すなわち、本願発明は、色ごとに信号処理回路を備える表示装置に、広く適用可能である。
また、図１〜３、５に示したプロジェクター１の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１の他の各部の具体的な細部構成についても、本発明の趣旨を逸脱しない範囲で任意に変更可能である。
また、上記実施形態において記憶部２３が記憶していた制御プログラムを、プロジェクター１が通信ネットワークを介して接続された他の装置からダウンロードして実行してもよいし、可搬型の記録媒体に制御プログラムを記録して、この記録媒体から上記各プログラムを読み取って実行する構成としてもよい。
また、上述した実施形態では、「色変調部」や「輝度変調部」として、透過型の液晶ライトバルブを用いたが、これに限られない。反射型の液晶ライトバルブや、液晶方式以外のライトバルブ（例えば、複数の微小なミラーを有するデジタルマイクロミラーデバイス（ＤＭＤ）など）を「色変調部」や「輝度変調部」として採用しても良い。
また、対応する「輝度変調部」と「色変調部」とは、それぞれ画素数が同一であっても良く、異なっていても良い。画素の対応関係は１対１であっても良く、一方の１つの画素が他方の複数の画素に対応していても良い。
また、「光源、及び、輝度変調用ライトバルブ」に相当する機能部分が色変調部に入射する光の光量をコントロールしているが、他の手法によって色変調部に入射する光の光量を制御することも可能である。例えば、複数のＬＥＤがマトリックス状に配置されたＬＥＤアレイを用いて色変調部に入射する光量を制御しても良い。この場合は、「光源」及び「輝度変調用ライトバルブ」に代えてＬＥＤアレイを用いることになる。
【符号の説明】
【００３１】
１…プロジェクター（表示装置）、１６Ｒ、１６Ｇ、１６Ｂ…輝度変調用液晶ライトバルブ（輝度変調部）、１７Ｒ、１７Ｇ、１７Ｂ…色変調用液晶ライトバルブ（色変調部）、２０…制御部、２６…信号処理部、６０…メイン信号処理回路、６１Ｒ、６１Ｇ、６１Ｂ…サブ信号処理回路、Ｄ…カラー映像信号（カラー映像データ）、Ｄｂ…青色映像信号（色ごとの映像データ）、Ｄｇ…緑色映像信号（色ごとの映像データ）、Ｄｒ…赤色映像信号（色ごとの映像データ）。
【図１】
2015099241.tif 000003
【図２】
2015099241.tif 000004
【図３】
2015099241.tif 000005
【図４】
2015099241.tif 000006
【図５】
2015099241.tif 000007